(57)【要約】  本発明は、（ｉ）クレイと、（ｉｉ）死亡した人、動物、または植物の火葬により生じた灰と、を含む組成物に関する。また、その目的は、上記組成物によって形成されるピースと当該ピースを獲得するユーザとの間に感情的結合を生じさせることである。【特許請求の範囲】
【請求項１】
（ａ）クレイと、
（ｂ）死亡した対象の火葬により生じた灰と、
を含んでいる、組成物。
【請求項２】
上記クレイは、
ホワイトクレイ、石灰質土器ペースト、ドロマイト、フェルドスパー、カオリナイト、ハロイサイト、イライト、クロライト、バーミキュライト、モンモリロナイト、セピオライト−パリゴルスカイト、およびそれらの任意の組み合わせ；
を含むリストから選択される、請求項１に記載の組成物。
【請求項３】
上記クレイは、ホワイトクレイである、請求項１または２に記載の組成物。
【請求項４】
上記灰は、直径０．２５ｍｍ未満のサイズを有する、請求項１から３のいずれか１項に記載の組成物。
【請求項５】
上記クレイの重量パーセンテージは、最終組成物に対して９０％から９５％までの範囲である、請求項１から４のいずれか１項に記載の組成物。
【請求項６】
上記灰の重量パーセンテージは、最終組成物に対して５％から１０％までの範囲である、請求項１から５のいずれか１項に記載の組成物。
【請求項７】
上記灰は、人または動物に由来する、請求項１から６のいずれか１項に記載の組成物。
【請求項８】
ベーキングされており、固体状であり、かつ、グレーズの外層をさらに含んでいる、請求項１から７のいずれか１項に記載の組成物。
【請求項９】
上記グレーズの層は、以下のリストから、すなわち、
エポキシ樹脂、感光性樹脂、またはそれらの任意の組み合わせ；
の内から選択された樹脂である、請求項８に記載の組成物。
【請求項１０】
請求項１から９のいずれか１項に記載の組成物を含んでいる、部材または像。
【請求項１１】
請求項８または９に記載の組成物を含んでおり、かつ、サポート上に圧着されている、部材または像。
【請求項１２】
上記部材または上記像は、３次元的である、請求項１０または１１に記載の部材または像。
【請求項１３】
３次元の部材または像を得るための３Ｄプリンタ用のインクとしての、請求項１から７のいずれか１項に記載の組成物の使用。
【請求項１４】
セラミックの部材または像としての、請求項１から９のいずれか１項に記載の組成物の使用。
【請求項１５】
既にグレージングされた３次元の部材もしくは像、またはセラミックの像が、対応するサポート上に圧着される、請求項１３または１４に記載の使用。
【発明の詳細な説明】
【発明の詳細な説明】
【０００１】
本発明は、（ｉ）クレイと、（ｉｉ）死亡した人、動物、または植物の火葬により生じた灰と、を含む組成物に関する。また、その目的は、上記組成物によって形成されるピースと当該ピースを獲得するユーザとの間に感情的結合（emotional bond）を生じさせることである。
【０００２】
〔本発明の背景〕
現在では、死亡した人およびペットへの記念（敬意）と思い出とを込めてデザインされた様々な製品が存在している。これらの製品は、伝統的には、死亡した最愛の者が有する毛髪、歯、および他のパーツ（部分）または組織を用いて製作されている。
【０００３】
現在では、火葬（cremation）または焼却（incineration）は、最も常習的な死体の最終到達地点（final destinations）の１つであり、死体は、しばしば火葬場（crematorium）または火葬炉（cremation furnace）と呼ばれる場所で焼却される。火葬炉は、高温（約８７０℃から９８０℃）に達し得る工業用炉である。火葬炉には、身体の効率的な崩壊を保証するために特別な改良が施されている。灰は、当該崩壊のプロセスを経た結果である。火葬は、埋葬という慣習上で徐々に普及しつつある。また、灰は、大抵の場合、その最終的な形態（final destination）として、散乱した状態になる。そのため、灰は、以降の故人と遺族との間での直接的接触による感情的結合を構築することを不可能にする。
【０００４】
〔発明の概要〕
本発明は、（ｉ）少なくとも１つのクレイと、（ｉｉ）死亡した対象（人、動物、または植物）の火葬により生じた灰と、の混合物を含むことを特徴とする組成物を提供する。上記組成物の目的は、感情的物体（emotional object）または永久的な記念品（遺品）を製造することである。
【０００５】
従って、本発明の第１の態様は、感情的組成物に関する。上記感情的組成物は、（ａ）クレイと、（ｂ）死亡した対象の火葬により生じた灰と、を含んでいることによって、特徴付けられている。
【０００６】
従来技術に記載された組成物の残余物（rest）と比較して、本発明に係る組成物の使用によって得られる利点は、（ｉ）そのカスタマイズ性（customisability）、（ｉｉ）組成物と当該組成物から形成された物体との両方における均一な外観（圧縮によることを含む）、および、（ｉｉｉ）上記物体を着用または所有する人と上記対象との感情的結合を生じさせることである。
【０００７】
別の好ましい実施形態において、上記感情的組成物は、上記クレイが、
ホワイトクレイ（白土）、石灰質土器ペースト、ドロマイト（苦灰石，白雲石）、フェルドスパー（長石）、カオリナイト（高陵石）、ハロイサイト、イライト、クロライト（緑泥石）、バーミキュライト（蛭石）、モンモリロナイト（モンモリロン石）、セピオライト（海泡石）−パリゴルスカイト、およびそれらの任意の組合せ；
を含むリストから選択されることによって、特徴付けられている。
【０００８】
より好ましい実施形態において、上記感情的組成物は、ホワイトクレイであることによって、特徴付けられている。
【０００９】
別の好ましい実施形態において、上記感情的組成物は、上記クレイの重量パーセンテージが、最終組成物に対して９０％から９５％までの範囲であることによって、特徴付けられている。
【００１０】
別の好ましい実施形態において、上記感情的組成物は、上記灰の重量パーセンテージが、最終組成物に対して５％から１０％までの範囲であることによって、特徴付けられている。
【００１１】
別の好ましい実施形態では、上記感情的組成物がベーキング（焼成，加熱乾燥）されており、固体状であり、かつ、グレーズ（釉薬）の外層（ｃ）をさらに含んでいることによって、特徴付けられている。上記グレーズの外層は、（ｉ）セラミックの部材（element）もしくは像（フィギュア，構造物）（figure）、または、（ｉｉ）３Ｄプリントによって得られる３次元の像もしくは部材として、上記組成物を使用するために適している。上記グレーズは、上記ベーキングプロセスにおいて生じたポア（孔隙）を、当該グレーズによって塞ぐために添加される。これにより、（ｉ）最終的なセラミック部材もしくは像、または、（ｉｉ）３Ｄプリントによって得られる３次元の像もしくは部材に対して、均一性および剛性を提供することができる。上記グレーズは、従来のオーブン中において８００℃から９００℃までの範囲の温度によって感情的組成物をベーキングした後に、従来のオーブン中において１０００℃から１０６０℃までの範囲の温度による第２のベーキングが行われる前に添加される。
【００１２】
上記組成物のさらに好ましい実施形態では、上記グレーズの外層は、好ましくは、以下のリストから、すなわち、
エポキシ樹脂、感光性樹脂、またはそれらの任意の組み合わせ；
の内から選択された樹脂（レジン）である。
【００１３】
別の好ましい実施形態において、上記感情的組成物は、上記灰のサイズに対する上記クレイの粒子サイズ（粒径）が、構造内で大型のポアが発生することを防ぐサイズであることによって、特徴付けられている。これにより、セラミック物体の脆弱性を最小限に抑え、上記灰を含むセラミック物体の適切な圧縮を実現できる。その結果、当該セラミック物体の薄片化（lamination）または破壊を防ぐことができる。
【００１４】
本発明の別の態様は、本発明の説明に係る組成物を含む部材または像に関する。
【００１５】
本発明の別の態様は、グレーズの外層を含む組成物を含んでおり、かつ、サポート（支持体）上に取り付けられている部材または像に関する。上記グレーズの外層は、好ましくは、以下のリストから、すなわち、
エポキシ樹脂、感光性樹脂、またはそれらの任意の組み合わせ；
の内から選択される樹脂である。
【００１６】
本発明の好ましい実施形態は、部材または像である。上記部材または上記像は、３次元的である。
【００１７】
本発明の別の態様は、３次元の部材または像を得るための３Ｄプリンタ用のインクとしての、上記組成物の使用に関する。当該組成物の使用により、死亡した人、ペット、または生体の記念品としての役割を果たすことを目的とする物体が製造される。好ましくは、上記３次元の部材または像は、遺品である。
【００１８】
本発明の別の態様は、セラミックの部材または像としての上記組成物の使用に関する。好ましくは、当該部材または像は、遺品である。
【００１９】
より好ましい実施形態は、対応するサポート上に取り付けられている、既にグレージングされた（艶出しされた）（glazed）３次元の部材もしくは像またはセラミックの像の使用である。
【００２０】
本発明において、「感情的組成物（情緒的組成物）」（emotional composition）とは、死体の火葬により生じた灰を少なくとも一定の割合で含む任意の組成物を意味すると理解される。
【００２１】
本発明において、「対象」（subject）とは、ヒト、動物、または植物（vegetable）を意味すると理解される。
【００２２】
本発明において、「灰」とは、死亡した人、死亡した動物（例：アニマルコンパニオンまたはペット）、または植物さえも火葬するプロセスにより生じた灰を意味すると理解される。
【００２３】
好ましい実施形態において、灰は、火葬プロセスの最後に回収される。その後、直径０．２５ミリメートル未満のサイズの灰を得るため、灰は、濾過され、ふるいにかけられる。これにより、その後の最終組成物の混合において、均一性が保証される。本実施形態は、３Ｄプリンタのインクとして用いられる最適な粒子サイズを有する本発明の組成物を得るために適している。これらの粒子サイズによれば、組成物が、４バールの圧力での３Ｄプリンタの加圧チャンバからの押出（押出成型）（extrusion）に対して最適化されるからである。
【００２４】
本発明において、「クレイ（粘土）」（clay）とは、０．００２ミリメートル未満の粒子サイズを有するフィロシリケートまたは任意の他の凝集ミネラル（凝集無機物，凝縮鉱物）（agglomerating mineral）の任意の粒子または断片（破片）を意味すると理解される。
【００２５】
本発明において、「フィロシリケート（phyllosilicate）」とは、シリケート（ケイ酸塩）のサブクラスを意味すると理解される。シリケートのサブクラスは、非常に多様な環境において一般的であり、完全な基材剥離（perfect basal exfoliation）の存在から生じる葉状（leafy）（phyllon=leaf）または薄片状（flaky）の形質（habit）を共通の構成（特徴）として有するミネラルを含む。フィロシリケートは、空間の２方向において無限次元の四面体層が自身の構造中に存在することによって生じる。これらの化合物の化学式は、（Ｓｉ２Ｏ５２−）ｎアニオンを常に含んでいる。
【００２６】
明細書および特許請求の範囲の全体にわたって、「含む」（comprises）という文言およびその変形語は、他の技術的構成、付加物（添加物）（additives）、コンポーネント（成分）、またはステップを排除することを意図していない。当業者であれば、本発明の他の目的、利点、および構成は、部分的には説明から、また部分的には本発明の実施から生じるであろう。以下の例（実施例）および図面は、例示の目的で提供されており、本発明の範囲を限定することを意図するものではない。
【００２７】
〔発明の好適な実施形態〕
以下、本発明の目的に関する好ましい実施形態について、詳細な説明を提示する。
【００２８】
＜３Ｄプリントおよびその後のグレージングによって得られた、クレイおよび灰から作製された像の調製＞
調製のために、死亡した生体の遺骸の火葬により生じた灰が回収される。その後、０．２５ミリメートルよりも大きな直径を有する灰の粒子を排除するために、灰は、濾過され、ふるいにかけられる。
【００２９】
選択された粒子は、０．００２ミリメートル未満の粒子サイズを有するクレイと混合され、その結果、均一な混合物が得られる。その後、当該混合物は、圧力システムを備えるコンテナの内部に導入される。当該コンテナは、内部に格納された物質に対して、４バールの超過圧力（overpressure）を印加する。
【００３０】
当該コンテナは、上述の物質の混合物を、少なくとも１つの押出ノズルを備える３Ｄプリンタに供給するために、導入された超過圧力によって当該混合物を内部から排出する排出口を備える。
【００３１】
当該プリンタのノズルは、所望の物体になるまで、外部の基材に、当該物質の混合物から成る複数の層を堆積させる。形成される所望の物体のデザインは、コンピュータファイルによってあらかじめ導入されている。本明細書に記載の好ましい実施形態では、連続する層は約１ミリメートルの厚みを有し、最終的に、選択されたデザインを有する剛体が得られる。
【００３２】
プリントが完了したら、ピースを約８〜１２時間乾燥させる。
【００３３】
ピースが完全に乾燥すると、約１５時間を要する第１のベーキングが行われる。この第１のベーキングにおいて到達する最高温度は、８５０℃である。
【００３４】
その後、ピースは、ペイントブラシの補助により、当該ピースの表面全体をコーティングすることによってグレージングされる。そして、第２のベーキングが行われる。第２のベーキングにおいて、グレーズは、物体の表面上において溶解（溶融）する。このプロセスは、１２時間を要し、最高温度は、１０３０℃に達する。
【００３５】
最後に、既にグレージングされたピースが、対応するサポート上に取り付けられる。
【国際調査報告】
2021517528.tif 000002
2021517528.tif 000003
2021517528.tif 000004
2021517528.tif 000005
2021517528.tif 000006
2021517528.tif 000007